(57)【要約】【課題】簡素な構造を有し、収容時には環形ランプを箱内に保持しつつ、容易に箱内から環形ランプを取り出すことのできる環形ランプ収容箱を提供する。【解決手段】表裏面の一方を第１面１１とし他方を第２面とする板状の外形を有し、箱内に環形ランプ１００を収容する環形ランプ収容箱１０であって、環形ランプ１００を保持する保持部材１５を箱内に備える。そして、環形ランプ収容箱１０の第１面１１には、線に沿って切り取られることにより環形ランプ１００を環形ランプ収容箱１０から取り出し得る大きさの開口１３ａを形成する切り取り線が形成されている。【選択図】図２
2010269840.tif 000002
【特許請求の範囲】
【請求項１】
表裏面の一方を第１面とし他方を第２面とする板状の外形を有し、箱内に環形ランプを収容する箱であって、
前記環形ランプを保持する保持手段を前記箱内に備え、
前記箱の前記第１面には、線に沿って切り取られることにより前記環形ランプを前記箱から取り出し得る大きさの開口を形成する切り取り線が形成されている、
ことを特徴とする環形ランプ収容箱。
【請求項２】
前記箱の少なくとも１つの側面は、前記切り取り線が形成された第１層と、切り目が形成された第２層と、を含む多重構造からなり、
前記切り取り線は、前記第１面から前記側面の第１層にかけて一続きに形成され、
前記切り取り線で切り取られた前記第１面の一部及び前記側面の第１層の一部は前記箱の蓋として機能し、
前記側面の第２層に形成された前記切り目には、前記蓋の先端部が挿入され得る、
ことを特徴とする請求項１に記載の環形ランプ収容箱。
【請求項３】
前記蓋の裏面に、文字、記号、図形の少なくとも１つが印刷されている、
ことを特徴とする請求項１又は２に記載の環形ランプ収容箱。
【請求項４】
前記保持手段も含め、単一の材料からなる、
ことを特徴とする請求項１乃至３のいずれか一項に記載の環形ランプ収容箱。
【請求項５】
前記単一の材料は、樹脂又は紙又は段ボールである、
ことを特徴とする請求項４に記載の環形ランプ収容箱。
【請求項６】
前記保持手段は、前記環形ランプの飛び出しを妨げるストッパである、
ことを特徴とする請求項１乃至５のいずれか一項に記載の環形ランプ収容箱。
【請求項７】
前記保持手段は、前記環形ランプと嵌合する突起である、
ことを特徴とする請求項１乃至５のいずれか一項に記載の環形ランプ収容箱。
【請求項８】
前記保持手段は、前記環形ランプと嵌合する窪みである、
ことを特徴とする請求項１乃至５のいずれか一項に記載の環形ランプ収容箱。
【請求項９】
前記開口の幅は、前記環形ランプの外径よりも小さい、
ことを特徴とする請求項１乃至８のいずれか一項に記載の環形ランプ収容箱。
【請求項１０】
前記第１面の前記開口、前記第１面の前記切り取り線を、それぞれ第１開口、第１切り取り線とするとき、
前記第２面には、線に沿って切り取られることにより前記環形ランプを前記箱から取り出し得る大きさの第２開口を形成する第２切り取り線が形成されている、
ことを特徴とする請求項１乃至９のいずれか一項に記載の環形ランプ収容箱。
【請求項１１】
前記箱内の空間を、前記第１開口から取り出し得る大きさの第１環形ランプを収容するための第１空間と、前記第２開口から取り出し得る大きさの第２環形ランプを収容するための第２空間とに仕切る仕切り板と、
前記第１空間に配置され前記第１環形ランプを保持する第１保持手段と、
前記第２空間に配置され前記第２環形ランプを保持する第２保持手段と、
を備える、
ことを特徴とする請求項１０に記載の環形ランプ収容箱。
【請求項１２】
前記第１環形ランプと前記第２環形ランプとは、互いに異なる径を有する、
ことを特徴とする請求項１１に記載の環形ランプ収容箱。
【請求項１３】
前記箱の平面形状は、四角形である、
ことを特徴とする請求項１乃至１２のいずれか一項に記載の環形ランプ収容箱。
【請求項１４】
前記箱の平面形状は、円、八角形、六角形のいずれかである、
ことを特徴とする請求項１乃至１２のいずれか一項に記載の環形ランプ収容箱。
【発明の詳細な説明】
【技術分野】
【０００１】
例えば環形蛍光灯等の環形ランプを収容する環形ランプ収容箱に関する。
【背景技術】
【０００２】
例えば特許文献１に、段ボールからなる環形ランプ収容箱が開示されている。
【先行技術文献】
【特許文献】
【０００３】
【特許文献１】特開平０６−１９９３８３号公報
【発明の概要】
【発明が解決しようとする課題】
【０００４】
特許文献１に記載の環形ランプ収容箱は、箱自体が簡素な構造ではあるものの、箱の側方から取り出す横開き箱形式であるため、箱内から環形ランプを取り出しにくい。
【０００５】
本発明は、こうした実情に鑑みてなされたものであり、簡素な構造を有し、収容時には環形ランプを箱内に保持しつつ、容易に箱内から環形ランプを取り出すことのできる環形ランプ収容箱を提供することを目的とする。
【課題を解決するための手段】
【０００６】
本発明に係る環形ランプ収容箱は、表裏面の一方を第１面とし他方を第２面とする板状の外形を有し、箱内に環形ランプを収容する箱であって、前記環形ランプを保持する保持手段を前記箱内に備え、前記箱の前記第１面には、線に沿って切り取られることにより前記環形ランプを前記箱から取り出し得る大きさの開口を形成する切り取り線が形成されている。
【発明の効果】
【０００７】
本発明によれば、簡素な構造を有し、収容時には環形ランプを箱内に保持しつつ、容易に箱内から環形ランプを取り出すことのできる環形ランプ収容箱を提供することができる。
【図面の簡単な説明】
【０００８】
【図１】本発明の実施形態に係る環形ランプ収容箱の蓋が閉じた状態を示す図である。
【図２】本発明の実施形態に係る環形ランプ収容箱の蓋が開いた状態を示す図である。
【図３Ａ】本発明の実施形態に係る環形ランプ収容箱の内部構造（ランプ保持状態）を示す図である。
【図３Ｂ】本発明の実施形態に係る環形ランプ収容箱の内部構造（固定解除状態）を示す図である。
【図４Ａ】保持手段の第１の別例（ランプ保持状態）を示す図である。
【図４Ｂ】保持手段の第１の別例（固定解除状態）を示す図である。
【図５Ａ】保持手段の第２の別例（ランプ保持状態）を示す図である。
【図５Ｂ】保持手段の第２の別例（固定解除状態）を示す図である。
【図６Ａ】保持手段の第３の別例（ランプ保持状態）を示す図である。
【図６Ｂ】保持手段の第３の別例（固定解除状態）を示す図である。
【図７】蓋を開くことにより環形ランプの外径よりも小さい開口を形成する環形ランプ収容箱の一例を示す図である。
【図８Ａ】仕切り板を有する環形ランプ収容箱の一例の蓋が閉じた状態を示す図である。
【図８Ｂ】仕切り板を有する環形ランプ収容箱の一例の内部構造（ランプ保持状態）を示す図である。
【図９Ａ】異なる径を有する複数の環形ランプを収容する環形ランプ収容箱の一例の蓋が閉じた状態を示す図である。
【図９Ｂ】異なる径を有する複数の環形ランプを収容する環形ランプ収容箱の一例の内部構造（ランプ保持状態）を示す図である。
【図１０】異なる径を有する複数の環形ランプを収容する環形ランプ収容箱の一例の第１面側の蓋が開いた状態を示す図である。
【図１１】蓋の形状の別例を示す図である。
【図１２】環形ランプ収容箱の平面形状の別例を示す図である。
【発明を実施するための形態】
【０００９】
以下、本発明に係る環形ランプ収容箱の実施形態について、図面を参照して説明する。
【００１０】
なお、図中、矢印Ｚ１、Ｚ２は、それぞれ箱の主面（表裏面）の法線方向（又は箱の厚み方向）を指す。一方、矢印Ｘ１、Ｘ２及びＹ１、Ｙ２は、それぞれ箱の厚み方向に直交する方向（箱の幅方向）を指す。箱の主面は、Ｘ−Ｙ平面となる。以下、相反する方向を向いた２つの主面を、第１面（矢印Ｚ１側の面）、第２面（矢印Ｚ２側の面）という。
【００１１】
環形ランプ収容箱１０は、図１に示すように、板状（詳しくは直方体）の外形を有し、箱内に環形ランプ１００（図２）を収容する個装箱である。環形ランプ１００は、例えば管径１４〜３２ｍｍの環形蛍光灯である。
【００１２】
環形ランプ収容箱１０の第１面１１には、例えば破線状の切り取り線１１ａが形成されている。環形ランプ収容箱１０の１つの側面１２は、第１層１２１と第２層１２２（図２）との二重構造からなる。第１層１２１には、切り取り線１２ａが形成されている。切り取り線１１ａ及び１２ａは、第１面１１（矢印Ｚ１側の面）から側面１２（矢印Ｙ１側の面）の第１層１２１にかけて一続きに形成される。切り取り線１１ａがその線に沿って切り取られることにより、図２に示すように、環形ランプ１００を環形ランプ収容箱１０から取り出し得る大きさの開口１３ａが第１面１１に形成される。また、側面１２に第２層１２２が露出する。
【００１３】
切り取り線１１ａ及び１２ａで切り取られた第１面１１及び側面１２の第１層１２１の一部は、折り曲げ部１１ｂで折り曲げることにより環形ランプ収容箱１０の蓋１３となる。蓋１３は、例えば八角形の本体部１３１と、例えば舌片状の先端部１３２と、から構成される。本体部１３１の裏面の領域１３１ａには、例えば社名、住所、連絡先、又は注意書き（例えば安全上又は使用上の注意）などが印刷される。これらは、例えば環形ランプ１００の品種に関係のない共通項目として印刷する。こうすることで、生産ロットが大きくなり、コスト低減が図られる。また、こうした印刷により商品をアピールすることができる。
【００１４】
側面１２の第２層１２２には、切り目１２２ａが形成されている。蓋１３を閉める場合には、本体部１３１と先端部１３２との境界部の折り曲げ部１３２ａで先端部１３２を折り曲げて、蓋１３の先端部１３２を第２層１２２の切り目１２２ａに挿入する。これにより、蓋１３が閉じた状態で固定される。
【００１５】
環形ランプ収容箱１０は、第２面１４（床面）に環形ランプ１００を保持する保持部材１５（保持手段）を備える。この保持部材１５により、環形ランプ１００が箱内に固定される。
【００１６】
保持部材１５は、例えば図３Ａに示すように、ストッパ部１５１と、ストッパ固定部１５２と、から構成される。ストッパ部１５１及びストッパ固定部１５２は、それぞれ環形ランプ収容箱１０の第２面１４と一体に形成される。
【００１７】
ストッパ部１５１は、例えば環形ランプ１００を外側から巻回する。そして、環形ランプ１００の内側に巻かれたストッパ部１５１の先端部には、例えば切り目１５１ａが形成されている。そして、ストッパ固定部１５２の先端部が切り目１５１ａに差し込まれることで、ストッパ部１５１とストッパ固定部１５２とが連結される。ストッパ部１５１はストッパ固定部１５２により固定される。環形ランプ１００が移動しようとしてもストッパ部１５１にぶつかるため、環形ランプ１００の矢印Ｚ１側への移動（箱外への飛び出し）は妨げられる。こうして、保持部材１５により環形ランプ１００が箱内に保持される。一方、環形ランプ１００を箱外に取り出す場合には、ストッパ固定部１５２の先端部を切り目１５１ａから引き抜くことで、ストッパ部１５１の固定を解除することができる。これにより、図３Ｂに示すように、蓋１３を開け、環形ランプ１００を箱外に取り出すことが可能になる。
【００１８】
環形ランプ収容箱１０は、例えば一枚の段ボールからなる。すなわち、環形ランプ収容箱１０は、保持部材１５を含め、単一の材料からなる。こうすることで、環形ランプ収容箱１０の製造にかかるコストの低減を図ることができる。段ボールの面積は、例えばＦＣＬ３０（３０形の環形蛍光灯）又はＦＨＣ２０（２０形の環形スリム蛍光灯）で１１５２ｃｍ２以下、ＦＣＬ３２（３２形の環形蛍光灯）又はＦＨＣ２７（２７形の環形スリム蛍光灯）で２０４８ｃｍ２以下、ＦＣＬ４０（４０形の環形蛍光灯）又はＦＨＣ３４（３４形の環形スリム蛍光灯）で３２００ｃｍ２以下が好ましい。
【００１９】
本実施形態の環形ランプ収容箱１０によれば、蓋１３の開閉により環形ランプ１００を容易に取り出すことができる。また、箱内において保持部材１５により環形ランプ１００を保持しておくことで、環形ランプ収容箱１０を逆さにした場合などに環形ランプ１００の落下を抑制又は防止することができる。また、環形ランプ収容箱１０は簡素な構造を有するため、低コストで製造できる。
【００２０】
以上、本発明の実施形態に係る環形ランプ収容箱について説明したが、本発明は、上記実施形態に限定されない。例えば以下のように変形して実施することもできる。
【００２１】
上記実施形態では、環形ランプ１００に一対の保持部材１５を設けるようにしたが、保持部材１５の配置は任意である。例えば環形ランプ１００の全周を保持するようにしてもよい。
【００２２】
保持部材１５は図３Ａ、図３Ｂに示したものに限られない。保持部材１５の保持方式等は任意である。例えば図４Ａ（ランプ保持状態）及び図４Ｂ（固定解除状態）に示すように、環形ランプ１００を内側から巻回するストッパ部１５１であってもよい。なお、ストッパ部１５１だけで十分な強度が得られ、ストッパとして機能し得る場合などには、ストッパ固定部１５２を省略してもよい。その他、図５Ａに示すように、環形ランプ１００と嵌合する突起（凸部）からなる保持部材１５ａにより、摩擦力で環形ランプ１００を保持（固定）してもよい。この場合は、例えば手で環形ランプ１００を引き抜くことで、図５Ｂに示すように、蓋１３を開け、環形ランプ１００を箱外に取り出すことができる。また、図６Ａに示すように、環形ランプ１００と嵌合する窪み（凹部）からなる保持部材１５ｂにより、摩擦力で環形ランプ１００を保持（固定）してもよい。この場合も、例えば手で環形ランプ１００を引き抜くことで、図６Ｂに示すように、蓋１３を開け、環形ランプ１００を箱外に取り出すことができる。図３Ａ〜図６Ｂに示す保持方式を組み合わせてもよい。
【００２３】
製造コストを低減する上では、環形ランプ収容箱１０と同じ材料で保持部材１５、１５ａ、１５ｂを形成することが好ましいが、保持機能を高める等の目的で、環形ランプ収容箱１０と異なる材料で保持部材１５、１５ａ、１５ｂを形成してもよい。
【００２４】
図７に示すように、開口１３ａの幅を環形ランプ１００の外径より小さくしてもよい。こうすることで、環形ランプ１００が箱外へ飛び出しにくくなる。ただし、環形ランプ１００を箱外に取り出す場合には、環形ランプ１００を傾けて取り出すなどの手間を要する。
【００２５】
図示した環形ランプ収容箱１０の第１面１１だけではなく、反対側（矢印Ｚ２側）の第２面１４にも切り取り線１１ａ（第２切り取り線）を形成してもよい。こうすることで、第２面１４側からも環形ランプ１００を取り出すことができるようになる。
【００２６】
図８Ａ及び図８Ｂ（図８Ａの内部構造）に示すように、環形ランプ収容箱２０の箱内の空間を、環形ランプ１００（第１環形ランプ）を収容するための第１空間Ａ１と、環形ランプ２００（第２環形ランプ）を収容するための第２空間Ａ２とに仕切る仕切り板２０ａを設け、環形ランプ収容箱２０の第１面１１（矢印Ｚ１側の面）及び側面２２（矢印Ｙ１側の面）に切り取り線１１ａ及び１２ａを形成し、環形ランプ収容箱２０の第２面２１（矢印Ｚ２側の面）及び側面２２（矢印Ｙ１側の面）に切り取り線２１ａ及び２２ａを形成してもよい。図８Ａ、図８Ｂの例では、環形ランプ１００を保持する保持部材１５が第１空間Ａ１に配置され、環形ランプ２００を保持する保持部材２５が第２空間Ａ２に配置される。切り取り線１１ａ及び１２ａで切り取ることにより第１面１１及び側面２２の一部は環形ランプ収容箱２０の蓋１３（第１の蓋）となり、蓋１３を開けることで、第１空間Ａ１から箱外へ環形ランプ１００を取り出すことができる。また、切り取り線２１ａ及び２２ａで切り取ることにより第２面２１及び側面２２の一部は環形ランプ収容箱２０の蓋２３（第２の蓋）となり、蓋２３を開けることで、第２空間Ａ２から箱外へ環形ランプ２００を取り出すことができる。図８Ａ、図８Ｂの例では、環形ランプ１００の径と環形ランプ２００の径は同一である。なお、製造コストを低減する上では、仕切り板２０ａも、環形ランプ収容箱２０と同じ材料で一体に形成することが好ましい。保持部材１５と保持部材２５とは、同一の方式のものであっても異なる方式のものであってもよい。
【００２７】
図９Ａ及び図９Ｂ（図９Ａの内部構造）に示すように、互いに異なる径を有する環形ランプ１００（第１環形ランプ）、環形ランプ２００（第２環形ランプ）を収容するようにしてもよい。例えば図９Ｂに示すように、第１空間Ａ１に環形ランプ２００よりも小さい環形ランプ１００を収容する場合には、図１０に示すように、環形ランプ１００の大きさに合わせて第１面１１の開口１３ａの大きさも小さくすることが好ましい。また、蓋１３の大きさに合わせて側面２２の第１層１２２の切り目１２２ａの大きさも小さくすることが好ましい。
【００２８】
その他の点についても、環形ランプ収容箱１０、２０等の構成は、本発明の趣旨を逸脱しない範囲において任意に変更することができる。
【００２９】
例えば蓋１３、２３の形状は任意である。例えば図１１に示すように、蓋１３の本体部１３１を四角形にしてもよい。
【００３０】
環形ランプ収容箱１０、２０の平面形状は、矩形等の四角形に限られず任意である。例えば図１２に示すように、環形ランプ収容箱１０の平面形状が八角形であってもよい。その他、六角形又は円なども、環形ランプ収容箱１０、２０の平面形状として採用することができる。環形ランプ収容箱１０、２０の角を削ることで第１面１１又は第２面２１の面積が小さくなり、材料費の低減を図ることができる。環形ランプ収容箱１０、２０では、箱の側面ではなく箱の主面（表裏面）から環形ランプ１００、２００を取り出すため、環形ランプ収容箱１０、２０の平面形状を六角形、八角形、又は円等にしても、環形ランプ１００、２００を容易に取り出すことができる。
【００３１】
環形ランプ収容箱１０の材料は段ボールに限られず任意である。例えば樹脂又は厚紙なども、環形ランプ収容箱１０の材料として有効である。
【００３２】
蓋１３、２３の裏面に印刷されるものは、文字に限定されず、記号、又は図形であってもよい。また、この印刷は必須ではなく、割愛してもよい。
【００３３】
環形ランプ収容箱１０、２０の側面１２、２２は二重構造に限定されず、三重以上の多重構造にしてもよい。また、必要なければ、環形ランプ収容箱１０、２０の側面１２、２２を多重構造にはせず単層にしてもよい。
【００３４】
箱内に環形ランプ１００、２００以外のものを収容してもよい。例えば必要に応じて、緩衝材を収容してもよい。また、保持部材１５、２５の固定解除に道具を要する場合には、その道具を収容してもよい。
【００３５】
以上、本発明の実施形態について説明したが、設計上の都合やその他の要因によって必要となる様々な修正や組み合わせは、「請求項」に記載されている発明や「発明の実施の形態」に記載されている具体例に対応する発明の範囲に含まれると理解されるべきである。
【産業上の利用可能性】
【００３６】
本発明の環形ランプ収容箱は、環形蛍光灯などを収容するのに適している。
【符号の説明】
【００３７】
１０、２０  環形ランプ収容箱
１１  第１面
１１ａ  切り取り線
１１ｂ  折り曲げ部
１２  側面
１２ａ  切り取り線
１３  蓋
１３ａ  開口
１４  第２面
１５、１５ａ、１５ｂ  保持部材（保持手段）
２０ａ  仕切り板
２１  第２面
２１ａ  切り取り線
２２  側面
２２ａ  切り取り線
２３  蓋
２５  保持部材（保持手段）
１００、２００  環形ランプ
１２１  第１層
１２２  第２層
１２２ａ  切り目
１３１  本体部
１３１ａ  領域（印刷部）
１３２  先端部
１３２ａ  折り曲げ部
１５１  ストッパ部
１５１ａ  切り目
１５２  ストッパ固定部
【図１】
2010269840.tif 000003
【図２】
2010269840.tif 000004
【図３Ａ】
2010269840.tif 000005
【図３Ｂ】
2010269840.tif 000006
【図４Ａ】
2010269840.tif 000007
【図４Ｂ】
2010269840.tif 000008
【図５Ａ】
2010269840.tif 000009
【図５Ｂ】
2010269840.tif 000010
【図６Ａ】
2010269840.tif 000011
【図６Ｂ】
2010269840.tif 000012
【図７】
2010269840.tif 000013
【図８Ａ】
2010269840.tif 000014
【図８Ｂ】
2010269840.tif 000015
【図９Ａ】
2010269840.tif 000016
【図９Ｂ】
2010269840.tif 000017
【図１０】
2010269840.tif 000018
【図１１】
2010269840.tif 000019
【図１２】
2010269840.tif 000020